(57)【要約】      （修正有）【課題】お通夜や葬儀、祝事の際の会葬礼状や手紙、お清め塩ならびに会葬返礼品が収納されるコンパクト化且つ再利用可能な会葬及び祝事返礼品収納バッグを提供する。【解決手段】お清め塩や会葬礼状、手紙ならびに返礼品が収納されるコンパクト化且つ再利用可能な収納バッグ２０であって、内部に収納部を有すると共に、上方が開口された開口部を有し、かつ、該開口部の対向する上端辺に夫々持ち手部を備えた手提げ式の収納バッグで形成され、開口部の内側には対向する上端辺同士を係止するための第一係止部材２７が備えられ、また、該第一係止部材２７の一方の直近下方位置には内ポケット２４が備えられて成り、収納バッグを折り畳んで内ポケット２４内に収納することで、全体をコンパクト化することが可能となっている。【選択図】図１
0003184495.tif 000002
【実用新案登録請求の範囲】
【請求項１】
お清め塩や会葬礼状、手紙ならびに返礼品が収納されるコンパクト化且つ再利用可能な布製の会葬及び祝事返礼品収納バッグであって、
前記会葬及び祝事返礼品収納バッグは、内部に収納部を有すると共に、上方が開口された開口部を有し、かつ、該開口部の対向する上端辺に夫々持ち手部を備えた手提げ式の収納バッグで形成され、
前記開口部の内側には対向する上端辺同士を係止するための第一係止部材が夫々備えられ、また、該第一係止部材の一方の直近下方位置には内ポケットが備えられて成り、
前記収納バッグを折り畳んで前記内ポケット内に収納することで、全体をコンパクト化することが可能であることを特徴とする会葬及び祝事返礼品収納バッグ。
【請求項２】
前記会葬及び祝事返礼品収納バッグにおいて、
前記内ポケットと前記収納バッグ内側面との間にポケット閉塞カバーが備えられると共に、該内ポケット及びポケット閉塞カバーにはそれらを係止するための第二係止部材が夫々備えられていることを特徴とする請求項１に記載の会葬及び祝事返礼品収納バッグ。
【請求項３】
前記会葬及び祝事返礼品収納バッグにおいて、
前記収納バッグにおける一の外側面下方には、会葬礼状や手紙、お清め塩が収納される外ポケットが備えられていることを特徴とする請求項１または請求項２に記載の会葬及び祝事返礼品収納バッグ。
【請求項４】
前記会葬及び祝事返礼品収納バッグにおいて、
前記外ポケットが、透明若しくは半透明のカバー体から成ることを特徴とする請求項１から請求項３のいずれかに記載の会葬及び祝事返礼品収納バッグ。
【請求項５】
前記会葬及び祝事返礼品収納バッグにおいて、
前記収納バッグが、エンボス加工が施された薄手の合成樹脂繊維生地で縫製されて成ることを特徴とする請求項１から請求項４のいずれかに記載の会葬及び祝事返礼品収納バッグ。
【考案の詳細な説明】
【技術分野】
【０００１】
本考案は、お通夜や葬儀時のお清め塩、会葬礼状ならびに会葬返礼品が収納されたり、あるいは、お祝い事における手紙や引出物・記念品等の返礼品が収納される、コンパクトで且つ再利用可能な会葬及び祝事返礼品収納バッグに関する。
【背景技術】
【０００２】
お通夜や葬儀に参列して下さった弔問客に対して、会葬御礼としてハンカチやお茶、海苔などの返礼品と共に、お清め塩と会葬礼状を添えてお渡しする会葬儀礼が旧来より行われている。同様に、結婚式などのお祝い事の参加者に対して、祝事御礼として引出物・記念品等の返礼品と共に、記念の手紙などが添えられてお渡しする祝事儀礼が旧来より行われている。
【０００３】
上記の会葬及び祝事に際して使用される返礼品を収納する収納バッグの機能に関し、催事側としては、お清めの塩や礼状、手紙ならびに返礼品を間違いがなく効率的に準備できる機能を備えると共に、弔問客・参加者としては、それらの返礼品を持ち帰る際に一まとまりになって携帯性がよく、さらに会葬返礼品の場合には帰宅時の玄関先においてお清め塩が取り出しやすい機能を備え、当該収納バッグの使用後もコンパクト化でき、且つ再利用可能な収納バッグが望まれるものであった。
【０００４】
上記要求を満たすべく、各種機能を備えた会葬及び祝事の返礼品を収納可能な収納ケースならびに収納バッグの提案が従来よりなされている。例えば、低コストで美観が良く、会葬御礼品や挨拶状やお清め等を一つのケースにまとめて収納可能な「収納ケース」（特許文献１参照）が提案されている。
【０００５】
しかしながら上記の収納ケースの提案は、収納ケースの外面部を透明シートで二重又は三重にし、その二重又は三重にした外面部の一辺に挿入部を形成し、該挿入部より装飾紙や会葬御礼用ハガキ等を収納可能にしたものであるが、収納ケースの形状がファイル収納形態のエンボス加工が施された薄手の透明シートで形成されているため、ハンカチやタオルといったエンボス加工が施された薄手の会葬返礼品である場合は収納可能であるが、お茶や海苔の缶詰セットなどの場合は収納することができないものであり、収納ケース内に収められる会葬返礼品の品目が限定されるものであった。
【０００６】
また、葬祭用返礼品を収納する袋体を後利用できるようにする「葬祭用返礼品詰め物用バッグ」（特許文献２参照）が提案されている。
【０００７】
しかしながら上記の詰め物用バッグの提案は、葬祭場に参列した者に引き渡す返礼品を収納する葬祭用返礼品詰め物用バッグであって、該葬祭用返礼品詰め物用バッグは、長尺状のシート基材と、該シート基材を展開した状態で表面側上中下部の少なくとも三箇所に間隙を存して形成される物入れ部と、裏面側上部に形成されるのし紙差し入れ部とを備え、下部物入れ部を前記展開状態で中部物入れ部との表面同士が互いに対向するように折り畳むと共に、上部物入れ部を下部物入れ部の裏面に対向するように折畳み可能で、該折畳み状態で前記裏面側ののし紙差し入れ部がバッグ表面に露出する手段を採っているが、詰め物用バッグ自体の形状が箱型のバッグ状であるため袋体を後利用する場合、ピクニック用、家庭内用の小物入れ等に限定されるものであった。
【０００８】
また、香典返しの品物を葬儀を終えた後に各会葬者宛に発送することの不合理さを無くすと共に、挨拶状やお清め塩の入った袋を会葬者がうっかり紛失する等の不都合も無くせる様にした「会葬者用の返礼品ケース」（特許文献３参照）が提案されている。
【０００９】
しかしながら上記の返礼品ケースの提案は、香典返しの品物等を収める包装箱と、包装箱に外嵌させる筒状カバーと、筒状カバーに設けられて挨拶状やお清め塩の入った袋等を収めるポケット部と、包装箱又は筒状カバーに組付けた取っ手と、を備えるものであるが、上記同様にケース自体の形状が箱状のケース体であるため、該箱状のケース体を後利用する場合、ピクニック用としてや、小物入れ等の収納ケースとして限定されるものであった。
【００１０】
また、葬祭返礼品等を収容する場合に有効な「手提げ袋」（特許文献４参照）が提案されている。
【００１１】
しかしながら上記の手提げ袋の提案は、上端開口を備えた袋本体における前記上端開口の縁縁に把手をとりつけた手提げ袋において、前記袋本体の内壁面に表示カード用透明ポケットを設けたものであるが、該提案は、手提げ袋の内壁面に表示カード用透明ポケットを設けた提案に過ぎず、執りたてて収納性や携帯性が高いものではなく、さらに再利用ならびに利便性が高い提案ではなかった。
【００１２】
本出願人は、以上のような会葬及び祝事の返礼品が収納される会葬及び祝事返礼品収納バッグに関する機能の経済性、収納性、携帯性、再利用ならびに利便性に着目し、それらの特性を全て併せ持つ収納バッグの提供ができないものかという着想の下、お通夜や葬儀、祝事の際のお清め塩や会葬礼状、手紙ならびに返礼品が収納されるコンパクト化且つ再利用可能な会葬及び祝事返礼品収納バッグを開発し、本考案における「会葬返礼品収納バッグ」の提案に至るものである。
【先行技術文献】
【特許文献】
【００１３】
【特許文献１】実用新案登録第３１３３６６１号公報
【特許文献２】特開平９-３２２８１６号公報
【特許文献３】実用新案登録第３０８３７６５号公報
【特許文献４】実用新案登録第３１４８１６７号公報
【考案の開示】
【考案が解決しようとする課題】
【００１４】
本考案は上記問題点に鑑み、お通夜や葬儀、祝事の際のお清め塩や会葬礼状、手紙ならびに返礼品が収納されるコンパクト化且つ再利用可能な会葬返礼品収納バッグを提供することを課題とする。
【課題を解決するための手段】
【００１５】
上記課題を解決するため、本考案は、お清め塩や会葬礼状、手紙ならびに返礼品が収納されるコンパクト化且つ再利用可能な布製の会葬及び祝事返礼品収納バッグであって、該会葬及び祝事返礼品収納バッグは、内部に収納部を有すると共に、上方が開口された開口部を有し、かつ、該開口部の対向する上端辺に夫々持ち手部を備えた手提げ式の収納バッグで形成され、前記開口部の内側には対向する上端辺同士を係止するための第一係止部材が夫々備えられ、また、該第一係止部材の一方の直近下方位置には内ポケットが備えられた構成となっている。
【００１６】
また、本考案は、前記会葬及び祝事返礼品収納バッグにおいて、前記内ポケットと前記収納バッグ内側面との間にポケット閉塞カバーが備えられると共に、該内ポケット及びポケット閉塞カバーにはそれらを係止するための第二係止部材が夫々備えられている構成を採用し得る。
【００１７】
さらに、本考案は、前記会葬及び祝事返礼品収納バッグにおいて、前記収納バッグにおける一の外側面下方には、会葬礼状や手紙、お清め塩が収納される外ポケットが備えられている構成とすることもできる。
【００１８】
またさらに、本考案は、前記会葬及び祝事返礼品収納バッグにおいて、前記外ポケットが透明若しくは半透明のカバー体から成る構成を採用することもできる。
【００１９】
さらにまた、本考案は、前記会葬及び祝事返礼品収納バッグにおいて、前記収納バッグが、エンボス加工が施された薄手の合成樹脂繊維生地で縫製された構成を採ることも可能である。
【考案の効果】
【００２０】
本考案の会葬及び祝事返礼品収納バッグによれば、収納バッグが柔軟な布製であって、軽量であると共に携帯性を備え、かつ、コンパクトに折り畳んで持ち運びができるといった優れた効果を奏する。
【００２１】
また、本考案の会葬及び祝事返礼品収納バッグによれば、会葬及び祝事返礼品用として使用した後は、買い物用のエコバッグや携帯用の小物入れバッグなど、多目的に再利用することができるといった優れた効果を奏する。
【００２２】
さらに、本考案の会葬及び祝事返礼品収納バッグによれば、お茶やお酒、引出物などの返礼品が収納される収納部と、お清め塩や会葬礼状、手紙などが収納される透明な外ポケットと、に分離されることで、催事者が返礼品等を収納バッグに詰め忘れることがなくなるといった優れた効果を奏する。
【００２３】
またさらに、本考案の会葬及び祝事返礼品収納バッグによれば、収納バッグの外側に備えられている透明な外ポケットにお清め塩や会葬礼状、手紙などを収納することで、該外ポケットに収納した物の所在が一目瞭然であると共に、会葬返礼品の場合には、帰宅時の玄関先においてお清め塩を容易に取り出して使用することができるといった優れた効果を奏する。
【図面の簡単な説明】
【００２４】
【図１】本考案にかかる会葬及び祝事返礼品収納バッグの実施形態を示す全体説明図である。
【図２】本考案にかかる会葬及び祝事返礼品収納バッグの実施形態を示す断面説明図である。
【図３】本考案にかかる会葬及び祝事返礼品収納バッグの折り畳み手順を示す説明図である。
【図４】本考案にかかる会葬及び祝事返礼品収納バッグの折り畳み手順を示す説明図である。
【考案を実施するための形態】
【００２５】
本考案の会葬及び祝事返礼品収納バッグ１０は、お清め塩３０や会葬礼状３１、手紙ならびに返礼品３２が収納されるコンパクト化且つ再利用可能な収納バッグ２０であって、該会葬及び祝事返礼品収納バッグ１０は、内部に収納部２２を有すると共に、上方が開口された開口部２１を有し、かつ、該開口部２１の対向する上端辺に夫々持ち手部Ｈを備えた手提げ式の収納バッグ２０で形成され、前記開口部２１の内側には対向する上端辺同士を係止するための第一係止部材２７が夫々備えられ、また、該第一係止部材２７の一方の直近下方位置には内ポケット２４が備えられて成り、前記収納バッグ２０を折り畳んで前記内ポケット２４内に収納することで、全体をコンパクト化することを可能としたことを最大の特徴とする。以下、本考案にかかる会葬及び祝事返礼品収納バッグ１０の実施形態を、図面に基づいて説明する。
【００２６】
尚、本考案における会葬及び祝事返礼品収納バッグ１０は、以下に述べる実施形態に限定されるものではなく、本考案の技術的思想の範囲内、すなわち同一の作用効果を発揮できる形状や寸法等の範囲内で、適宜変更することができる。
また、以下の実施形態においては、説明の便宜上、お祝い事における祝事返礼の場合についての説明を省略し、代表してお通夜や葬儀時における会葬返礼の場合についてのみ説明している。
【００２７】
図1は、本考案にかかる会葬及び祝事返礼品収納バッグ１０の実施形態を示す全体説明図である。
本考案の会葬及び祝事返礼品収納バッグ１０は、お清め塩３０、会葬礼状３１ならびに会葬返礼品３２が収納される収納バッグ２０であると共に、会葬返礼品用として使用した後は、折り畳んでコンパクト化することができ、さらに、買い物用のエコバッグや携帯用の小物入れバッグなど、多目的に再利用することができる構造を有するものである。具体的寸法については、特に限定はないが、例えば縦３６０ｍｍ×横３２０ｍｍ×幅１４０ｍｍ程度の寸法で形成される。
【００２８】
収納バッグ２０は、折り畳みが可能なように柔軟な素材である布製から成り、例えばエンボス加工が施された薄手の合成樹脂繊維生地で縫製されて成る。該収納バッグ２０は、内部に収納部２２を有すると共に、上方が開口された開口部２１を有し、かつ、該開口部２１の対向する上端辺に夫々持ち手部Ｈを備えて成り、全体として手提げ式の収納バッグ２０となっている。
【００２９】
開口部２１の内側には、該開口部２１の開口状態を塞ぐべく、対向する上端辺に夫々第一係止部材２７が備えられている。かかる第一係止部材２７の具体的構造については、特に限定はないが、例えば面ファスナーなどが考え得る。該第一係止部材２７を備えることで、収納されている会葬返礼品３２が開口部２１から飛び出すのを防ぐことができる。
【００３０】
収納バッグ２０における収納部２２には、内ポケット２４が備えられている。該内ポケット２４は、前記開口部２１の内側に備えられた第一係止部材２７の直近下方位置に備えられ、収納部２２への収納品とは別に小物等を収納することが可能であると共に、不使用時には収納バッグを折り畳んで収納することが可能となっている。
【００３１】
前記内ポケット２４と前記収納バッグ２０の内側面との間には、ポケット閉塞カバー２６が備えられている。該ポケット閉塞カバー２６は、収納バッグ２０が内ポケット２４内に収納された際に、該内ポケット２４の開口部を閉塞するためのものである。このとき、内ポケット２４及びポケット閉塞カバー２６には第二係止部材２８が夫々備えられ、該内ポケット２４に備えられた第二係止部材２８とポケット閉塞カバー２６に備えられた第二係止部材２８とを係止することで、内ポケット２４の開口部２５をポケット閉塞カバー２６で閉塞した状態を維持することが可能となる。なお、かかる第二係止部材２８の具体的構造については、特に限定はなく、例えば面ファスナーなどが考え得る。
【００３２】
前記収納バッグ２０における一の外側面下方には外ポケット２３が備えられており、該外ポケット２３にはお清め塩３０や会葬礼状３１などが収納可能となっている。かかる外ポケット２３を備えることで、収納部２２に収納される会葬返礼品３２とは分けて会葬礼状３１を該外ポケット２３に収納することが可能となる。これにより、催事者によるお清め塩３０や会葬礼状３１等の詰め忘れを防止できると共に、帰宅時の玄関先においてお清め塩３０を容易に取り出して使用することが可能となる。
【００３３】
前記外ポケット２３の具体的構造については、収納バッグ２０の一の外側面下方に、上方が開口した状態でカバー体を装着することにより形成されている。このとき、該カバー体が透明若しくは半透明のであることが望ましい。透明若しくは半透明とすることで、外ポケット２３内に収納された物を外部から視認することが可能となるため、お清め塩３０や会葬礼状３１などの所在が外部から一目瞭然に判ることとなって、催事者による詰め忘れ防止や取り出し時の視認性に優れた効果を発揮する。
【００３４】
以上で構成される本考案の会葬及び祝事返礼品収納バッグ１０は、収納バッグ２０の内側の収納部２２には、お茶や海苔の缶詰などの返礼品を収納することができ、外側の外ポケット２３には、お清め塩３０や会葬礼状３１などを収納して、該外ポケット２３内の収納状態が外部から視認することが可能である。
【００３５】
図２は、本考案にかかる会葬及び祝事返礼品収納バッグ１０の実施形態を示す断面説明図である。
本考案における会葬及び祝事返礼品収納バッ１０の収納バッグ２０の外側面下方には、お清め塩３０ならびに会葬礼状３１などが収納される外ポケット２３が備えられ、内部に収納部２２を有すると共に、該開口部２１の対向する上端辺に夫々持ち手部Ｈを備えた手提げ式の収納バッグ２０で形成されている。
【００３６】
前記開口部２１の内側には対向する上端辺同士を係止するための第一係止部材２７が夫々備えられ、また、該第一係止部材２７の一方の直近下方位置には内ポケット２４が備えられて成る。そしてまた、前記内ポケット２４と前記収納バッグ２０の内側面との間には、ポケット閉塞カバー２６が備えられ、該内ポケット２４及びポケット閉塞カバー２６には第二係止部材２８が夫々備えられている。
【００３７】
図３は、本考案にかかる会葬及び祝事返礼品収納バッグの折り畳み手順を示す説明図である。（その１）
（１）会葬及び祝事返礼品収納バッグ１０を用意する。
（２）収納バッグ２０に収納されているお清め塩３０や会葬礼状３１ならびに会葬返礼品３２を取り出して、平面状に折り畳む。
（３）収納バッグ２０の持ち手部Ｈを収納部２２内に押し込んで、内ポケット２４を外に取り出す。
（４）内ポケット２４の開口部２５が上に来るようにして、収納バッグ２０を二つ折りにする。
【００３８】
図４は、本考案における会葬及び祝事返礼品収納バッグの折り畳み手順を示す説明図である。（その２）
（５）収納バッグ２０の両側を中央に向かって其々折り畳み、三つ折りにする。
（６）折り畳んだ収納バッグ２０を内ポケット２４の中へ差し入れる。
（７）内ポケット２４の第二係止部材２８とポケット閉塞カバー２６の第二係止部材２８同士を係止させる。
（８）完成。
【産業上の利用可能性】
【００３９】
本考案にかかる会葬及び祝事返礼品収納バッグ１０は、会葬時や祝事の際の会葬及び祝事返礼品収納バッグ１０として利用できると共に、使用後は買い物用エコバッグや携帯用の小物入れ収納バッグなど、多目的に再利用できることから、本考案における「会葬及び祝事返礼品収納バッグ」の産業上の利用可能性は極めて大であるものと解する。
【符号の説明】
【００４０】
１０    会葬及び祝事返礼品収納バッグ
２０    収納バッグ
２１    開口部
２２    収納部
２３    外ポケット
２４    内ポケット
２５    開口部
２６    ポケットカバー
２７    第一係止部材
２８    第二係止部材
３０    お清め塩
３１    会葬礼状
３２    会葬返礼品
Ｈ    持ち手部
【図１】
0003184495.tif 000003
【図２】
0003184495.tif 000004
【図３】
0003184495.tif 000005
【図４】
0003184495.tif 000006